(57)【要約】【課題】袋を形成する二枚のシートに引き裂き時の切れ目発生に方向性がない材料を用いた場合でも、手によって正確に開封することができるジッパー付き袋を提供する。【解決手段】二枚のシート１２、１２の袋における口部側に該当する端部に、切り裂き用のミシン目１３を幅方向の全長にわたって施し、このシート１２、１２の相対向させる内面側に対して、前記ミシン目１３の位置に帯状シート１４と、この帯状シート１４よりも内側寄りの位置にジッパー１５を平行状に溶着し、前記二枚のシート１２、１２の袋における口部側に該当する端部をミシン目１３よりも外側の位置でヒートシール部１８によって溶着する。【選択図】図１
2006232374.tif 000002
【特許請求の範囲】
【請求項１】
重ね合わせ状態で周囲を溶着することによって袋を形成する二枚のシートの袋の口部側に該当する端部に、切り裂き用のミシン目を幅方向の全長にわたって施し、このシートの相対向させる内面側に対して、前記ミシン目の位置に帯状シートと、この帯状シートよりも内側寄りの位置にジッパーを、それぞれ幅方向の全長にわたって平行状に溶着し、前記二枚のシートの袋の口部側に該当する端部を、重ね合わせた帯状シートのミシン目よりも外側の位置で溶着したジッパー付き袋。
【請求項２】
重ね合わせ状態で周囲を溶着することによって袋を形成する二枚のシートの袋の口部側に該当する端部の相対向する内面側に、長さ方向の全長にわたって切り裂き用のミシン目を施した帯状シートと、この帯状シートよりも内側寄りの位置にジッパーを、それぞれ幅方向の全長にわたって平行状に溶着し、前記二枚のシートの袋の口部側に該当する端部を、重ね合わせた帯状シートのミシン目よりも外側の位置で溶着したジッパー付き袋。
【請求項３】
上記二枚のシートの口部側の溶着した部分の少なくとも一方端部でミシン目と重なる位置に、切り裂き開始用の切り欠きを施した請求項１又は２に記載のジッパー付き袋。
【請求項４】
上記二枚のシートが引き裂きによって発生する切れ目に方向性がない材料を用いて形成されていることを特徴とする請求項１乃至３の何れかに記載のジッパー付き袋。
【発明の詳細な説明】
【技術分野】
【０００１】
この発明は、内容物の取出しのための口部がジッパーによって開閉でき、内容物の密封収納と取出しが繰り返し行えるようにしたジッパー付き袋に関する。
【背景技術】
【０００２】
各種商品の収納容器として用いられている袋に、内容物の密封収納と取出しが繰り返し行えるようにしたジッパー付き袋がある。
【０００３】
従来のジッパー付き袋は、図５（ａ）と（ｂ）に示すように、重ね合わせ状態で周囲を溶着することによってジッパー付き袋１を形成する二枚のシート２、２に、熱可塑性と防湿性を有する材料を用い、二枚のシート２、２の袋１の口部側に該当する端部の相対向させる内面側に対して、ジッパー３となる雄ジッパー４と雌ジッパー５を、幅方向の全長にわたって平行状に溶着し、このジッパー３を噛み合せた状態で、前記二枚のシート２、２の袋１の口部側に該当する端部でジッパー３よりも外側の位置と両側部をヒートシール部６によって溶着し、この状態でジッパー付き袋１の内部に底部の開口から内容物を充填し、このあとジッパー付き袋１の底部を溶着することにより、内容物を密封収納する構造になっている。
【０００４】
このようなジッパー付き袋１を開封するには、ジッパー付き袋１の両側縁でジッパー３とヒートシール部６の間に施した切り裂き開始用の切り欠き７の部分からジッパー付き袋１を切り裂いて、ジッパー付き袋１の口部側ヒートシール部６を除去すればよく、ジッパー３を開けば内容物の取出しが行えると共に、ジッパー３を閉じれば残った内容物を再び密封収納できることになる。
【０００５】
ところで、ジッパー付き袋１は、手で開封するときシートの切れ目が切り裂き開始用の切り欠き７の部分からジッパー３に平行して発生し、ジッパー付き袋１の幅方向全長を確実に切り裂くことができるようにする必要があり、このため、従来は、ジッパー付き袋１を形成する二枚のシート２、２に引き裂きによって生じる切れ目に方向性があるポリプロピレンのような延伸材料を用い、引き裂きによって生じる切れ目の方向性をジッパー３に平行するようにして製袋し、開封時の切れ目をジッパー３に平行して発生させるようにしている。
【発明の開示】
【発明が解決しようとする課題】
【０００６】
しかし、ジッパー付き袋１を形成する二枚のシート２、２がポリエチレン系や防湿紙のような、引き裂きに対して切れ目の進展に方向性がない材料であると、図５（ｃ）のように、切れ目Ａが切り裂き開始用の切り欠き７の部分からどの方向に走るかわからず、切れ目Ａがジッパー付き袋１の幅方向の途中で曲がって端部に達したり、ジッパー３に向けて食い込むような事態が発生し、手によってジッパー付き袋１を正確に開封することができないことになる。
【０００７】
そこで、この発明の課題は、ジッパー付き袋を形成する二枚のシートに引き裂きの切れ目発生に方向性がない材料を用いた場合にも、袋の気密性や防湿性を維持しつつ、手によって正確に開封することができるジッパー付き袋を提供することにある。
【課題を解決するための手段】
【０００８】
上記のような課題を解決するため、この発明は、重ね合わせ状態で周囲を溶着することによって袋を形成する二枚のシートの袋の口部側に該当する端部に、切り裂き用のミシン目を幅方向の全長にわたって施し、このシートの相対向させる内面側に対して、前記ミシン目の位置に帯状シートと、この帯状シートよりも内側寄りの位置にジッパーを、それぞれ幅方向の全長にわたって平行状に溶着し、前記二枚のシートの袋の口部側に該当する端部を、重ね合わせた帯状シートのミシン目よりも外側の位置で溶着した構成を採用したものである。
【０００９】
ここで、二枚のシートに設けた切り裂き用のミシン目は、内面に溶着した帯状シートによってシールされ、二枚のシートに施したミシン目が袋の密閉性を低下させることがないと共に、袋の開封時には、切れ目がミシン目に沿ってジッパーと平行して発生することになる。
【００１０】
もう一つの発明は、重ね合わせ状態で周囲を溶着することによって袋を形成する二枚のシートの袋の口部側に該当する端部の相対向する内面側に、長さ方向の全長にわたって切り裂き用のミシン目を施した帯状シートと、この帯状シートよりも内側寄りの位置にジッパーを、それぞれ幅方向の全長にわたって平行状に溶着し、前記二枚のシートの袋の口部側に該当する端部を、重ね合わせた帯状シートのミシン目よりも外側の位置で溶着した構成を採用したものである。
【００１１】
上記帯状シートにミシン目を設けることにより、二枚のシートに切り裂き用のミシン目が不要となり、袋の密閉性低下がないと共に、袋の開封時には、切れ目が帯状シートのミシン目に沿って誘導され、ジッパーと平行して発生することになる。
【００１２】
上記二枚のシートの口部側の溶着した部分の少なくとも一方端部でミシン目と重なる位置に、切り裂き開始用の切り欠きを施したり、上記二枚のシートが引き裂きによって発生する切れ目に方向性がない材料を用いて形成されているようにすることができる。
【００１３】
ここで、袋を形成する二枚のシートは、防湿性があってヒートシールが可能な熱可塑性合成樹脂のシートや同効のシートを内面側にラミネートした厚紙シートを用いて形成されている。
【発明の効果】
【００１４】
この発明によると、重ね合わせ状態で周囲を溶着することによって袋を形成する二枚のシートに切り裂き用のミシン目を幅方向の全長にわたって施し、このシートの相対向させる内面側でミシン目の位置に帯状シートと、この帯状シートよりも内側寄りの位置にジッパーを、それぞれ幅方向の全長にわたって平行状に溶着し、前記二枚のシートの袋の口部側に該当する端部を、重ね合わせた帯状シートのミシン目よりも外側の位置で溶着したので、二枚のシートに引き裂きによって発生する切れ目に方向性がない材料を用いても、袋の開封時には、切れ目がミシン目に沿ってジッパーと平行して発生することになり、手によって袋を正確に開封することができると共に、二枚のシートに設けた切り裂き用のミシン目は、内面に溶着した帯状シートによってシールされ、二枚のシートに施したミシン目が袋の密閉性を低下させることがない。
【００１５】
また、帯状シートに切り裂き用のミシン目を設け、袋を形成する二枚のシートの内面側に前記帯状シートを溶着して製袋しても、上記と同様の効果が得られる。
【発明を実施するための最良の形態】
【００１６】
以下、この発明の実施の形態を図示例と共に説明する。
【００１７】
図１と図２に示す第１の実施の形態のジッパー付き袋１１は、重ね合わせ状態で周囲を溶着する二枚のシート１２、１２の口部側に該当する端部に、切り裂き用のミシン目１３を幅方向の全長にわたって施し、このシート１２、１２の相対向させる内面側に対して、前記ミシン目１３の位置に帯状シート１４と、この帯状シート１４よりも内側寄りの位置にジッパー１５を、それぞれ幅方向の全長にわたって平行状に溶着し、前記二枚のシート１２、１２の口部側に該当する端部を、重ね合わせた帯状シート１４、１４のミシン目１３よりも外側の位置で溶着した構造になっている。
【００１８】
上記二枚のシート１２、１２は、防湿性があって引き裂きによって発生する切れ目に方向性がなく、ヒートシールが可能なポリエチレン系のような熱可塑性合成樹脂のシートや、同効のシートを内面側にラミネートした厚紙シートを用い、また、上記ジッパー１５は、雄ジッパー１６と雌ジッパー１７からなり、両シート１２、１２の相対向させる内面側でミシン目１３よりも内側寄りの位置に、両シート１２、１２の幅方向の全長にわたって平行状に溶着されている。
【００１９】
上記帯状シート１４は、二枚のシート１２、１２に対して溶着可能な熱可塑性合成樹脂を用い、ジッパー１５と二枚のシート１２、１２の口部側端部間に収まる幅の長尺シートに形成されたものを用い、二枚のシート１２、１２の幅に一致する長さに切断される。
【００２０】
第１の実施の形態のジッパー付き袋１１を製造するには、図２（ａ）のように幅方向にミシン目１３を施した二枚のシート１２、１２を対向させ、図２（ｂ）と（ｃ）のように、シート１２、１２の相対向させる内面側に対して、前記ミシン目１３の位置に帯状シート１４と、この帯状シート１４よりも内側寄りの位置の一方シート１２に雄ジッパー１６と他方シート１２に雌ジッパー１７を、それぞれ幅方向の全長にわたって平行状に溶着する。
【００２１】
上記のように、二枚のシート１２、１２の内面に対してミシン目１３の位置にそれぞれ帯状シート１４を溶着すると、ミシン目１３の部分が内側からシールされ、二枚のシート１２、１２は全面の気密性と防湿性が維持されることになる。
【００２２】
上記二枚のシート１２、１２に対する帯状シート１４の溶着及び雄ジッパー１６と雌ジッパー１７の溶着は、それぞれ両シート１２、１２に対して同時に行うため、重なり合う帯状シート１４間及び雄ジッパー１６と雌ジッパー１７間には溶着を防ぐためのプレートが挿入され、このプレートを挟んだ状態で溶着工程が行われる。
【００２３】
上記のように帯状シート１４と雄ジッパー１６及び雌ジッパー１７を溶着した二枚のシート１２、１２は、図２（ｄ）のように、雄ジッパー１６と雌ジッパー１７を噛み合せた状態で重ね合わせ、前記二枚のシート１２、１２の袋における口部側に該当する端部でミシン目１３よりも外側の位置と両側部をヒートシール部１８、１９によって溶着すれば、下端底部が開放したジッパー付き袋１１を製作することができる。
【００２４】
この状態でジッパー付き袋１１の内部に底部の開口から内容物を充填し、このあとジッパー付き袋１１の底部を溶着してヒートシール部２０とすることにより、内容物を密封収納することができる。
【００２５】
ジッパー付き袋１１の口部側は、雄ジッパー１６と雌ジッパー１７が噛み合い、二枚のシート１２、１２に設けたミシン目１３が帯状シート１４で溶着され、更に、重なり合う二枚の帯状シート１４と二枚のシート１２、１２がヒートシール部１８によって溶着されているので、ジッパー付き袋１１の内部の密封性が保持される。
【００２６】
上記のようなジッパー付き袋１１を開封するには、ジッパー付き袋１１の何れか一方の側縁において、ミシン目１３の端部からジッパー付き袋１１を切り裂いて、ジッパー付き袋１１の口部側ヒートシール部１８を除去すればよく、開封時には切れ目がミシン目１３に沿うように発生し、二枚のシート１２、１２が引き裂きの方向性がなくても切れ目はジッパー１５に平行することになり、手によってジッパー付き袋１１の口部を幅方向の全長にわたって確実に切り裂くことができる。
【００２７】
上記のようにしてジッパー付き袋１１の口部側ヒートシール部１８を除去した後、ジッパー１５の噛み合わせを解けば口部が開いて内容物の取出しが行えると共に、ジッパー１５を噛み合わせて口部を閉じれば残った内容物を再び密封収納できることになる。
【００２８】
次に、図３と図４に示す第２の実施の形態のジッパー付き袋１１は、上述した第１の実施の形態におけるシート１２、１２のミシン目１３を省き、更に、帯状シート１４に代え、長さ方向の全長にわたって切り裂き用のミシン目１３ａを施した帯状シート１４ａを用いて製袋したものであり、第１の実施の形態と同一部分には同じ符号を付して説明に代える。
【００２９】
ジッパー付き袋１１は、重ね合わせ状態で周囲を溶着する二枚のシート１２、１２の袋における口部側に該当する端部の相対向する内面側に、前記帯状シート１４ａと、この帯状シート１４ａよりも内側寄りの位置にジッパー１５を、それぞれ幅方向の全長にわたって平行状に溶着し、前記二枚のシート１２、１２の袋における口部側に該当する端部を、重ね合わせた帯状シート１４ａのミシン目１３ａよりも外側の位置に施したヒートシール部１８で溶着した構造になっている。
【００３０】
この第２の実施の形態のジッパー付き袋１１における二枚のシート１２、１２と帯状シート１４ａの材質は、第１の実施の形態と同様のものを用いて同様の手順で製袋され、ミシン目１３ａを施した帯状シート１４ａは二枚のシート１２、１２の内面側に溶着されるので、ミシン目１３ａが二枚のシート１２、１２の密閉性や防湿性を低下させることがない。
【００３１】
上記のようなジッパー付き袋１１を開封するには、ジッパー付き袋１１の何れか一方又は両方の側縁において、ミシン目１３ａと重なる位置に施した切り裂き開始用の切り欠き２１からジッパー付き袋１１を切り裂いて、ジッパー付き袋１１の口部側ヒートシール部１８を除去すればよく、開封時には二枚のシート１２、１２の切れ目がミシン目１３ａに沿うように誘導されて発生し、二枚のシート１２、１２が引き裂きによって発生する切れ目に方向性がなくても切れ目はジッパー１５に平行することになり、手によってジッパー付き袋１１の幅方向全長を確実に切り裂くことができる。
【００３２】
上記のようにしてジッパー付き袋１１の口部側ヒートシール部１８を除去した後、ジッパー１５の噛み合わせを解いて口部を開けば内容物の取出しが行えると共に、ジッパー１５を噛み合わせて口部を閉じれば残った内容物を再び密封収納できることになる。
【図面の簡単な説明】
【００３３】
【図１】（ａ）は第１の実施の形態のジッパー付き袋を示す要部切り欠き正面図、（ｂ）は（ａ）の矢印ｂ−ｂに沿う拡大縦断面図
【図２】（ａ）乃至（ｄ）の各々は上記ジッパー付き袋の製造工程を順番に示す拡大した縦断側面図
【図３】（ａ）は第２の実施の形態のジッパー付き袋を示す要部切り欠き正面図、（ｂ）は（ａ）の矢印ｂ−ｂに沿う拡大縦断面図
【図４】第２の実施の形態のジッパー付き袋に用いる帯状テープの斜視図
【図５】（ａ）は従来のジッパー付き袋を示す要部切り欠き正面図、（ｂ）は（ａ）の矢印ｂ−ｂに沿う拡大縦断面図、（ｃ）は袋を形成するシート材料に引き裂き時に発生する切れ目に方向性がないものを用いた場合の切れ目の発生形状を示す正面図
【符号の説明】
【００３４】
１１    ジッパー付き袋
１２    シート
１３    ミシン目
１４    帯状シート
１５    ジッパー
１６    雄ジッパー
１７    雌ジッパー
１８    ヒートシール部
１９    ヒートシール部
２０    ヒートシール部
２１    切り欠き
【図１】
2006232374.tif 000003
【図２】
2006232374.tif 000004
【図３】
2006232374.tif 000005
【図４】
2006232374.tif 000006
【図５】
2006232374.tif 000007